(57)【要約】【課題】クッションパッドに凹み形成された溝部の着座時の押圧荷重による潰れを防止する。【解決手段】シートバック１のクッションパッド２の裏面部２Ｂに、形状を凹ませたことによって機能する溝部（配風溝２Ｃ）が形成された車両用シートのクッション構造体である。配風溝２Ｃの立壁面Ｃａには、クッションパッド２の発泡成形時に発泡樹脂を含浸させて硬質化させた厚物不織布３が一体的に形成されている。【選択図】図１
2010104485.tif 000002
【特許請求の範囲】
【請求項１】
車両用シートのクッション部を構成する発泡樹脂製のクッションパッドの裏面部に形状を凹ませたことによって機能する溝部が形成された車両用シートのクッション構造体であって、
前記溝部の立壁面に前記クッションパッドよりも硬質な補強面材が一体的に形成されたことを特徴とする車両用シートのクッション構造体。
【請求項２】
請求項１に記載の車両用シートのクッション構造体であって、
前記補強面材が前記クッションパッドの発泡成形時に該クッションパッドの発泡樹脂の含浸により硬化して一体化されて形成される可撓性面状の布材により形成されていることを特徴とする車両用シートのクッション構造体。
【請求項３】
請求項１又は請求項２に記載の車両用シートのクッション構造体であって、
前記補強面材は前記クッションパッドの裏面と前記溝部の立壁面とに面当てされて一体形成されるようになっており、前記補強面材の前記溝部の立壁面に面当てされる縦面部は前記クッションパッドの裏面に面当てされて一体的に硬質となって形成される横面部から折り曲げられて形成されていることを特徴とする車両用シートのクッション構造体。
【請求項４】
請求項３に記載の車両用シートのクッション構造体であって、
前記補強面材は一枚で前記溝部に一体化されるように構成されており、該補強面材の縦面部は該補強面材に切込みが入れられることによって前記溝部の立壁面に面当てできるように折り曲げられて形成されていることを特徴とする車両用シートのクッション構造体。
【請求項５】
請求項１から請求項４のいずれかに記載の車両用シートのクッション構造体であって、
前記クッションパッドは車両用シートのシートバックのクッション部として構成されており、該クッションパッドの裏面部に凹み形成された溝部は前記シートバックの背裏部に配設された送風器から送り込まれた風を該クッションパッドの裏面部において面内方向に配風するための通路として形成されていることを特徴とする車両用シートのクッション構造体。
【請求項６】
車両用シートのクッション部を構成する発泡樹脂製のクッションパッドの裏面部に形状を凹ませたことによって機能する溝部が形成された車両用シートのクッション構造体の製造方法であって、
前記クッションパッドを発泡成形させる成形型に該クッションパッドの発泡成形時に該クッションパッドの発泡樹脂の含浸により一体的に硬化して形成される可撓性面状の補強面材を係着させる係着工程と、
該係着工程により補強面材が係着された成形型で前記クッションパッドを発泡成形させる成形工程と、を有し、
前記係着工程において成形型に係着される補強面材には該成形型に形成された前記クッションパッドの裏面部に溝部を凹ませて形成するための突部の立壁面に該補強面材の縦面部を折り曲げて面当てさせられるようにするための切込みが入れられており、前記成形型の突部の立壁面に前記補強面材の縦面部が面当てされた状態で前記成形工程において前記クッションパッドが発泡成形されることにより前記クッションパッドの裏面部に形成された溝部の立壁面に前記補強面材の縦面部が面当てされて一体的に硬化して形成されることを特徴とする車両用シートのクッション構造体の製造方法。
【発明の詳細な説明】
【技術分野】
【０００１】
本発明は、車両用シートのクッション構造体及びその製造方法に関する。詳しくは、車両用シートのクッション部を構成する発泡樹脂製のクッションパッドの裏面部に形状を凹ませたことによって機能する溝部が形成された車両用シートのクッション構造体及びその製造方法に関する。
【背景技術】
【０００２】
従来、車両用シートにおいて、シートバックの背裏部に、着座者の背部に風を送り込むことのできる送風器が配設されたものが知られている。ここで、下記特許文献１には、上記した送風器から送られてきた風を、シートバックのクッションパッドに形成された配風溝によって方々へと分散させ、更に、これら配風溝から繋がる吹出孔から、配風された風を着座者の背裏面へと吹き出すようになっている構成が開示されている。
【０００３】
詳しくは、配風溝は、クッションパッドの背裏部に凹んだ通路となって形成されており、送風器から送られてきた風を、溝の通路形状に沿って面内方向の方々へと分散させるようになっている。そして、これら配風溝の所々には、配風された風を着座者の背部へと吹出すための吹出孔がクッションパッドを貫通して形成されている。
【特許文献１】特開２００４−８３３４号公報
【発明の開示】
【発明が解決しようとする課題】
【０００４】
しかし、上記開示の従来技術では、配風溝は軟質構造のクッションパッドに凹み形成されたものであるため、着座者がシートバックに凭れ掛かる押圧荷重によって溝が潰れてしまい、配風機能が十分に果たせなくなってしまうことがある。
【０００５】
本発明は、上記した問題を解決するものとして創案されたものであって、本発明が解決しようとする課題は、クッションパッドに凹み形成された溝部の着座時の押圧荷重による潰れを防止することにある。
【課題を解決するための手段】
【０００６】
上記課題を解決するために、本発明の車両用シートのクッション構造体及びその製造方法は次の手段をとる。
先ず、第１の発明は、車両用シートのクッション部を構成する発泡樹脂製のクッションパッドの裏面部に、形状を凹ませたことによって機能する溝部が形成された車両用シートのクッション構造体である。溝部の立壁面にクッションパッドよりも硬質な補強面材が一体的に形成されている。
【０００７】
この第１の発明によれば、溝部の立壁面が、補強面材との一体形成によって硬化して形成されることにより、クッションパッドに着座による押圧荷重が作用しても、溝部は潰れにくくなる。このように、凹んだ形状によって機能する溝部の潰れを防止できるようにしたことにより、溝部を有効に機能させることができる。
【０００８】
次に、第２の発明は、上述した第１の発明において、補強面材が、クッションパッドの発泡成形時にクッションパッドの発泡樹脂の含浸により硬化して一体化されて形成される可撓性面状の布材により形成されているものである。
【０００９】
この第２の発明によれば、可撓性面状の布材により形成された補強面材は、クッションパッドの発泡成形時に溝部の立壁面の形状に合わせて柔軟に形を変えられる。したがって、補強面材を溝部の立壁面に良好に面当てして一体的に硬化させることができ、溝部の立壁面を良好に硬化させて形成することができる。
【００１０】
次に、第３の発明は、上述した第１又は請求項２の発明において、補強面材は、クッションパッドの裏面と溝部の立壁面とに面当てされて一体形成されるようになっている。補強面材の溝部の立壁面に面当てされる縦面部は、クッションパッドの裏面に面当てされて一体的に硬質となって形成される横面部から折り曲げられて形成されている。
【００１１】
この第３の発明によれば、補強面材の溝部の立壁面に面当てされる縦面部は、クッションパッドの裏面に面当てされる横面部から折り曲げられて形成される。これにより、溝部の立壁面とこの立壁面に隣接したクッションパッドの裏面とが共に硬化して形成されるため、溝部を一層潰れ難く形成することができる。また、縦面部と横面部とがひとつながりに形成されていることにより、立壁面を横倒れしにくくすることができ、溝部を一層潰れにくく形成することができる。
【００１２】
次に、第４の発明は、上述した第３の発明において、補強面材は、一枚で溝部に一体化されるように構成されており、補強面材の縦面部は、補強面材に切込みが入れられることによって溝部の立壁面に面当てできるように折り曲げられて形成されている。
【００１３】
この第４の発明によれば、補強面材に切込みが入れられて縦面部が形成されるようになっていることにより、補強面材の周縁以外のところに溝部が配置される場合であっても、切込みを入れたラインから補強面材を折り曲げて縦面部を形成することができる。したがって、溝部の立壁面を良好に硬化させて形成することができる。
【００１４】
次に、第５の発明は、上述した第１から第４のいずれかの発明において、クッションパッドは、車両用シートのシートバックのクッション部として構成されている。クッションパッドの裏面部に凹み形成された溝部は、シートバックの背裏部に配設された送風器から送り込まれた風を、クッションパッドの裏面部において面内方向に配風するための通路ととして形成されている。
【００１５】
この第５の発明によれば、溝部が配風通路として形成されていることにより、着座者がシートバックに凭れ掛かっても、この配風通路を潰すことなく、送風器から送り込まれてきた風を良好に配風することができる。
【００１６】
次に、第６の発明は、車両用シートのクッション部を構成する発泡樹脂製のクッションパッドの裏面部に、形状を凹ませたことによって機能する溝部が形成された車両用シートのクッション構造体の製造方法であり、係着工程と成形工程とを有する。係着工程は、クッションパッドを発泡成形させる成形型に、クッションパッドの発泡成形時にクッションパッドの発泡樹脂の含浸により一体的に硬化して形成される可撓性面状の補強面材を係着させる工程である。成形工程は、上記した係着工程により補強面材が係着された成形型でクッションパッドを発泡成形させる工程である。係着工程において成形型に係着される補強面材には、成形型に形成されたクッションパッドの裏面部に溝部を凹ませて形成するための突部の立壁面に、補強面材の縦面部を折り曲げて面当てさせられるようにするための切込みが入れられている。成形型の突部の立壁面に補強面材の縦面部が面当てされた状態で、成形工程においてクッションパッドが発泡成形されることにより、クッションパッドの裏面部に形成された溝部の立壁面に、補強面材の縦面部が面当てされて一体的に硬化して形成される。
【００１７】
この第６の発明によれば、係着工程後の成形工程により、クッションパッドの裏面部に形成される溝部の立壁面が、補強面材の縦面部と含浸により一体成形されて硬化して形成される。この補強面材の縦面部は、係着工程において、補強面材の切込みにより折り曲げられて、成形型の突部の立壁面に面当てされて係着される。そして、この縦面部は、可撓性面状の部材であるため、クッションパッドの発泡成形時に溝部の立壁面の形状に合わせて柔軟に形を変えられる。したがって、縦面部を、成形工程によって、クッションパッドの溝部の立壁面に良好に面当てして一体成形することができる。また、補強面材は、溝部の立壁面とこの立壁面に隣接したクッションパッドの裏面とに面当てされて、共に含浸により一体成形されて硬化して形成される。したがって、立壁面を横倒れしにくく形成することができ、上記した成形により溝部を潰れにくく形成することができる。また、縦面部の形成のために補強面材に切込みが入れられていることにより、クッションパッドの発泡成形時には、この切込みラインから、発泡時に発生するガスを抜けるように機能させることができる。
【発明を実施するための最良の形態】
【００１８】
以下に、本発明を実施するための最良の形態の実施例について図面を用いて説明する。
【実施例１】
【００１９】
始めに、実施例１の車両用シートのクッション構造体及びその製造方法について、図１〜図５を用いて説明する。この車両用シートのクッション構造体は、図１に示されるように、車両用シートのシートバック１のクッション構造を成しており、クッション部となる発泡樹脂製のクッションパッド２と、クッションパッド２の裏面部２Ｂに一体成形されて設けられる可撓性面状の厚物不織布３と、によって構成されている。ここで、厚物不織布３が本発明の補強面材に相当する。
【００２０】
上記したクッションパッド２は、ポリウレタン樹脂を発泡成形させて形成されており、シートバック１に凭れ掛かった着座者の背凭れ荷重を、それ自体の弾性変形によって軟らかく受け止められるようになっている。そして、このクッションパッド２の裏面部２Ｂ、すなわち、着座者の背凭れ荷重を受け止める表面部とは反対側の背裏面部には、図示しない送風器から送り込まれた後方側からの風を面内方向に配風するための通路となる配風溝２Ｃが凹み形成されている。
【００２１】
この配風溝２Ｃは、上記した送風器の風を送り込む送風管と接続される凹状の接続口２Ｄから、裏面部２Ｂの面内方向の方々に向かって延出するように複数形成されている。そして、上記した各配風溝２Ｃの方々へ延出した端部には、それぞれ、クッションパッド２の表面部側へと貫通する吹出孔Ｃｂが形成されている。これにより、上記した接続口２Ｄへと送り込まれた風は、各配風溝２Ｃを通ってクッションパッド２の裏面部２Ｂの面内方向の方々へと配風されて、各吹出孔Ｃｂからクッションパッド２の表面部側へと送られて、着座者の背部に広い範囲に分散されて吹き当てられるようになっている。ここで、配風溝２Ｃ及び接続口２Ｄがそれぞれ本発明の溝部に相当する。
【００２２】
なお、図示は省略されているが、上記したクッションパッド２には、その外周面全体に布製の表皮カバーが被せ付けられるようになっている。この表皮カバーは、通気性のある布素材によって形成されており、吹出孔Ｃｂから吹出された風を通気させられるようになっている。また、同じく図示は省略されているが、クッションパッド２の裏面部２Ｂには、板製のバックボードが貼り付けられるようになっており、このバックボードの押さえによって、各配風溝２Ｃを通る風がクッションパッド２の背面部から外へ漏れ出ないようになっている。
【００２３】
したがって、上記のような軟質構造のクッションパッド２に着座者の背凭れ荷重がかけられると、各配風溝２Ｃや接続口２Ｄがクッションパッド２の撓み変形に伴って潰れてしまい、それらの配風機能が十分に果たせなくなってしまうことがある。そこで、本実施例では、この配風溝２Ｃや接続口２Ｄを潰れにくくするために、クッションパッド２の裏面部２Ｂに、配風溝２Ｃや接続口２Ｄの立壁面Ｃａ，Ｄａを硬化させるための厚物不織布３が一体的に硬化して形成されている。
【００２４】
ここで、上記した厚物不織布３には、ポリプロピレンを原料とし、スパンボイド法により成形された公知の厚物の長繊維不織布（三井化学社製タフネル：登録商標）が用いられている。この厚物不織布３は、クッションパッド２の発泡成形時に、クッションパッド２の裏面部２Ｂに全面的に当てがわれてセットされることにより、クッションパッド２の発泡成形に伴ってクッションパッド２の裏面部２Ｂに一体的に接着成形されて硬化して形成されるようになっている（図５参照）。
【００２５】
詳しくは、厚物不織布３は、クッションパッド２の発泡成形時に、発泡樹脂がその繊維間に含浸して硬化することにより、クッションパッド２と一体的に接着されて、その一体化された面部を表面的に硬化させられるようになっている。ここで、図１に示されるように、上記した厚物不織布３には、そのクッションパッド２の裏面部２Ｂに面当てされる横面部３Ａに、配風溝２Ｃの形状に即した形にスリット３Ｓ（切込み）が入れられている。
【００２６】
そして、上記したスリット３Ｓの形成により、厚物不織布３の横面部３Ａから各配風溝２Ｃや接続口２Ｄの立壁面Ｃａ，Ｄａに向けて面当てできるように折り曲げることのできる縦面部３Ｂが形作られている。そして、各縦面部３Ｂは、クッションパッド２の発泡成形時に、各配風溝２Ｃや接続口２Ｄの立壁面Ｃａ，Ｄａに面当てされるようにセットされて、各立壁面Ｃａ，Ｄａと一体的に接着成形されることにより、これらの面を表面的に硬化させた状態に形成されるようになっている。
【００２７】
次に、上記した厚物不織布３をクッションパッド２の発泡成形と共に一体的に接着成形する製造方法について説明する。なお、以下の説明では、かかる製造方法を分かり易くする説明するために、図２〜図４に示されるように、厚物不織布３、クッションパッド２及び成形型１０をそれぞれ単純化したものを用いて説明することとする。ここで、成形型１０は、図２〜図３に示されるように、雄型となる上型１１と雌型となる下型１２とを有し、これらの型締めされた空間内に、クッションパッド２を発泡成形させる形のキャビティ空間１３が形成されるものとなっている。
【００２８】
上記した上型１１には、クッションパッド２の配風溝２Ｃや接続口２Ｄを凹み形成させるための突部１１Ａが突出して形成されている。そして、この突部１１Ａの立壁面Ａａには、厚物不織布３の横面部３Ａから折り曲げられた縦面部３Ｂが面当てされてセットされるようになっている。具体的には、上記した縦面部３Ｂには、マグネットＢａが貼着されており、このマグネットＢａを突部１１Ａの立壁面Ａａに貼着することにより縦面部３Ｂが突部１１Ａの立壁面Ａａに面当てされた状態として保持されるようになっている。
【００２９】
したがって、クッションパッド２の発泡成形時には、先ず、上型１１に厚物不織布３をセットして、縦面部３Ｂを突部１１Ａの立壁面Ａａに面当てさせた状態として保持し（係着工程）、次に、下型１２のキャビティ空間１３内にクッションパッド２の発泡樹脂材料を注入して型締めをする（図３参照）。そして、この状態から、発泡樹脂材料を加熱によって発泡させる（成形工程）ことにより、図４に示されるように、発泡樹脂材料がキャビティ空間１３内に広く発泡充填されて、クッションパッド２の形状に形作られる。
【００３０】
このとき、図３に示されるように、発泡樹脂材料の発泡による膨張展開に伴って、キャビティ空間１３内に充満しているガスは、厚物不織布３に形成されたスリット３Ｓの隙間から、上型１１と下型１２との型合わせ部分の隙間１１Ｃや、上型１１に形成されたガス抜き穴１１Ｂから、型外へと抜き出ることができる。したがって、図４に示されるように、キャビティ空間１３内に発泡不良を引き起こすガスを残留させることなく、発泡樹脂材料をキャビティ空間１３内に広く充填させてその上面にセットされた厚物不織布３に良好に含浸させて一体的に接着成形することができる。
【００３１】
こうして成形されたクッションパッド２は、図５に示されるように、その裏面部２Ｂに厚物不織布３の横面部３Ａが面当てされ、各配風溝２Ｃや接続口２Ｄの立壁面Ｃａ，Ｄａに縦面部３Ｂが面当てされた状態として、それぞれの面当てされた部位が発泡樹脂の含浸による一体成形によって硬化して形成される。
【００３２】
このように、本実施例の車両用シートのクッション構造体及びその製造方法によれば、配風溝２Ｃや接続口２Ｄの立壁面Ｃａ，Ｄａが、厚物不織布３との一体形成によって硬化して形成されることにより、クッションパッド２に着座による押圧荷重が作用しても、配風溝２Ｃは潰れにくくなる。このように、配風溝２Ｃの潰れを防止できるようにしたことにより、配風溝２Ｃを有効に機能させることができる。
【００３３】
また、可撓性面状の布材として形成された厚物不織布３は、クッションパッド２の発泡成形時に配風溝２Ｃや接続口２Ｄの立壁面Ｃａ，Ｄａの形状に合わせて柔軟に形を変えられる。したがって、厚物不織布３を配風溝２Ｃや接続口２Ｄの立壁面Ｃａ，Ｄａに良好に面当てして一体的に硬化させることができ、配風溝２Ｃや接続口２Ｄの立壁面Ｃａ，Ｄａを良好に一体的に硬化させて形成することができる。
【００３４】
また、厚物不織布３の配風溝２Ｃや接続口２Ｄの立壁面Ｃａ，Ｄａに面当てされる縦面部３Ｂは、クッションパッド２の裏面部２Ｂに面当てされる横面部３Ａから折り曲げられて形成される。これにより、配風溝２Ｃや接続口２Ｄの立壁面Ｃａ，Ｄａとこれら立壁面Ｃａ，Ｄａに隣接したクッションパッド２の裏面部２Ｂとが共に硬化して形成されるため、配風溝２Ｃを一層潰れ難く形成することができる。また、縦面部３Ｂと横面部３Ａとがひとつながりに形成されていることにより、立壁面Ｃａ，Ｄａを横倒れしにくくすることができ、配風溝２Ｃを一層潰れにくく形成することができる。
【００３５】
また、厚物不織布３に切込み（スリット３Ｓ）が入れられて縦面部３Ｂが形成されるようになっていることにより、厚物不織布３の周縁以外のところに配風溝２Ｃが配置される場合であっても、切込みを入れたラインから厚物不織布３を折り曲げて縦面部３Ｂを形成することができる。したがって、配風溝２Ｃや接続口２Ｄの立壁面Ｃａ，Ｄａを良好に硬化させて形成することができる。
【００３６】
また、係着工程後の成形工程により、クッションパッド２の裏面部２Ｂに形成される配風溝２Ｃや接続口２Ｄの立壁面Ｃａ，Ｄａが、厚物不織布３の縦面部３Ｂと含浸により一体成形されて硬化して形成される。この厚物不織布３の縦面部３Ｂは、係着工程において、厚物不織布３の切込みにより折り曲げられて、成形型１０の突部１１Ａの立壁面Ａａに面当てされて係着される。そして、この縦面部３Ｂは、可撓性面状の部材であるため、クッションパッド２の発泡成形時に配風溝２Ｃや接続口２Ｄの立壁面Ｃａ，Ｄａの形状に合わせて柔軟に形を変えられる。したがって、縦面部３Ｂを、成形工程によって、クッションパッド２の配風溝２Ｃや接続口２Ｄの立壁面Ｃａ，Ｄａに良好に面当てして一体成形することができる。
【００３７】
また、厚物不織布３は、配風溝２Ｃや接続口２Ｄの立壁面Ｃａ，Ｄａとこれら立壁面Ｃａ，Ｄａに隣接したクッションパッド２の裏面部２Ｂとに面当てされて、共に含浸により一体成形されて硬化して形成される。したがって、立壁面Ｃａ，Ｄａを横倒れしにくく形成することができ、上記した成形により配風溝２Ｃを潰れにくく形成することができる。また、縦面部３Ｂの形成のために厚物不織布３に切込み（スリット３Ｓ）が入れられていることにより、クッションパッド２の発泡成形時には、この切込みラインから、発泡時に発生するガスを抜けるように機能させることができる。
【００３８】
以上、本発明の実施形態を一つの実施例により説明したが、本発明は上記実施例のほか各種の形態で実施ができるものである。例えば、クッションパッドの裏面部に形成される溝部は、上記実施例で示した配風溝２Ｃ以外でも、何らかの機能部品を収納するための収納溝など、その凹んだ形状によって機能する溝であれば、本発明の構成の適用対象となる。
【００３９】
また、シートクッションのクッションパッドの裏面部に溝部が形成されていて、同裏面部に、溝部の立壁面を硬化させるための補強面材を一体的に設けるようにしてもよい。また、上記実施例では、厚物不織布３（補強面材）の横面部３Ａにスリット３Ｓ（切込み）を入れることによって、縦面部３Ｂを折り曲げ形成できるようにしたものを示したが、溝部が補強面材の周縁箇所に形成される場合には、補強面材の周縁を折り曲げて縦面部を形成するようにすることもできる。
【００４０】
また、厚物不織布３（補強面材）の縦面部３Ｂを成形型１０の突部１１Ａの立壁面Ａａに係着させるための手段としてマグネットＢａを示したが、例えば、成形型に磁気を持たせて、補強面材の縦面部にホッチキスの芯材のような金属片を設けることで貼着できるようにしてもよい。また、上記係着手段として、粘着シート等を用いた粘着構造やフックによる引掛構造など、その他の公知の係着手段を用いることもできる。
【００４１】
また、クッションパッドの裏面部を硬質化させる補強面材の材質は特に限定されるものではない。例えば、クッションパッドよりも硬質な樹脂面材を溝部の立壁面に接着させることによって、同立壁面を硬質化するようにしてもよい。また、溝部の立壁面が硬質化されたものを示したが、併せて、溝部の底面も硬質化したものであってもよい。
【図面の簡単な説明】
【００４２】
【図１】実施例１の車両用シートのクッション構造体の概略構成図である。
【図２】不織布と成形型の構成を単純化して表した模式図である。
【図３】成形型の型締め状態を表した工程図である。
【図４】成形型内でクッションパッドを発泡成形した状態を表した工程図である。
【図５】クッションパッドの成形後の形状を表した断面図である。
【符号の説明】
【００４３】
１      シートバック
２      クッションパッド
２Ｂ    裏面部
２Ｃ    配風溝（溝部）
Ｃａ    立壁面
Ｃｂ    吹出孔
２Ｄ    接続口（溝部）
Ｄａ    立壁面
３      厚物不織布（補強面材）
３Ｓ    スリット
３Ａ    横面部
３Ｂ    縦面部
Ｂａ    マグネット
１０    成形型
１１    上型
１１Ａ  突部
Ａａ    立壁面
１１Ｂ  ガス抜き穴
１１Ｃ  隙間
１２    下型
１３    キャビティ空間
【図１】
2010104485.tif 000003
【図２】
2010104485.tif 000004
【図３】
2010104485.tif 000005
【図４】
2010104485.tif 000006
【図５】
2010104485.tif 000007